(57)【要約】【課題】  イオン化エアーの送気に影響を与えることなく、軟Ｘ線等の電磁波の遮蔽性を高めることができる軟Ｘ線遮蔽構造、軟Ｘ線除電装置およびイオン化エアー放出方法を提供する。【解決手段】  送気されてゆくエアーに軟Ｘ線を照射しこれをイオン化する軟Ｘ線除電装置１にあって、イオン化したエアーの通過を許容すると共に軟Ｘ線を遮蔽する軟Ｘ線遮蔽構造であって、メッシュ２２状の流入開口２３およびメッシュ２２状の流出開口２４を有し、軟Ｘ線遮蔽材で構成した収容体２０と、収容体２０内に充填され、電磁波を遮蔽する物質で構成した多数の塊状部材２１と、を備えた。【選択図】  図１
2006269392.tif 000002
【特許請求の範囲】
【請求項１】
送気されてゆくエアーに軟Ｘ線を照射しこれをイオン化する軟Ｘ線除電装置にあって、イオン化した前記エアーの通過を許容すると共に前記軟Ｘ線を遮蔽する軟Ｘ線遮蔽構造であって、
メッシュ状の流入開口およびメッシュ状の流出開口を有し、軟Ｘ線遮蔽材で構成した収容体と、
前記収容体内に充填され、電磁波を遮蔽する物質で構成した多数の塊状部材と、を備えたことを特徴とする軟Ｘ線遮蔽構造。
【請求項２】
前記各塊状部材が、球形に形成されていることを特徴とする請求項１に記載の軟Ｘ線遮蔽構造。
【請求項３】
前記各塊状部材が、原子密度の高い物質で構成されていることを特徴とする請求項１または２に記載の軟Ｘ線遮蔽構造。
【請求項４】
前記各塊状部材が、ポリ塩化ビニルで構成されていることを特徴とする請求項１ないし３のいずれかに記載の軟Ｘ線遮蔽構造。
【請求項５】
送気されてゆくエアーに軟Ｘ線を照射しこれをイオン化する軟Ｘ線除電装置にあって、イオン化した前記エアーの通過を許容すると共に前記軟Ｘ線を遮蔽する軟Ｘ線遮蔽構造であって、
流入開口および流出開口を有し、軟Ｘ線遮蔽材で構成した収容体と、
前記流入開口から前記流出開口に到るエアー流路を複数に分割すると共に、電磁波を遮蔽する物質で構成した複数の隔板と、を備え、
前記複数の隔板は、相互に平行に配置され、かつ前記流入開口から前記流出開口に向かってそれぞれ波状に延在していることを特徴とする軟Ｘ線遮蔽構造。
【請求項６】
送気されてゆくエアーに軟Ｘ線を照射しこれをイオン化する軟Ｘ線除電装置にあって、イオン化した前記エアーの通過を許容すると共に前記軟Ｘ線を遮蔽する軟Ｘ線遮蔽構造であって、
流入開口および流出開口を有し、軟Ｘ線遮蔽材で構成した収容体と、
前記流入開口から前記流出開口に到るエアー流路を横断すると共に、電磁波を遮蔽する物質で構成した複数の円柱状部材と、を備え、
前記複数の円柱状部材は、相互に平行にかつ前記エアー流路に沿って、千鳥状に配設されていることを特徴とする軟Ｘ線遮蔽構造。
【請求項７】
請求項１ないし６のいずれかに記載の軟Ｘ線遮蔽構造と、
前記エアーを導入する導入口および前記エアーを放出する放出口を有する筐体と、
前記筐体に設けられ、前記筐体を流れる前記エアーに前記軟Ｘ線を照射する軟Ｘ線照射手段と、を備え、
前記放出口に前記流入開口が直結していることを特徴とする軟Ｘ線除電装置。
【請求項８】
前記収容体の周壁部と前記筐体の周壁部と、が一体に形成されていることを特徴とする請求項７に記載の軟Ｘ線除電装置。
【請求項９】
前記軟Ｘ線照射手段は、前記エアーの流れ方向と同方向に前記軟Ｘ線を照射することを特徴とする請求項７または８に記載の軟Ｘ線除電装置。
【請求項１０】
前記筐体の前記導入口側に、前記エアーを送気するファンが着脱自在に取り付けられていることを特徴とする請求項７ないし９のいずれかに記載の軟Ｘ線除電装置。
【請求項１１】
前記導入口に面して前記筐体内には、前記エアーを送気するファンが設けられていることを特徴とする請求項７ないし９のいずれかに記載の軟Ｘ線除電装置。
【請求項１２】
送気されてゆくエアーに軟Ｘ線を照射しこれをイオン化して放出する軟Ｘ線除電装置のイオン化エアー放出方法であって、
イオン化した前記エアーを、電磁波を遮蔽する物質で構成した多数の塊状部材の堆積体を通過させて放出することを特徴とする軟Ｘ線除電装置のイオン化エアー放出方法。
【発明の詳細な説明】
【技術分野】
【０００１】
本発明は、帯電体の除電に用いられる軟Ｘ線遮蔽構造、軟Ｘ線除電装置およびイオン化エアー放出方法に関するものである。
【背景技術】
【０００２】
従来、軟Ｘ線除電装置として、エアーを供給するためのダクトと、ダクトに連なると共に吹出口を有するチャンバと、吹出口に設けられ２枚のパンチング板からなる遮蔽部と、チャンバ内に設けられ、チャンバ内を通過するエアーに軟Ｘ線を照射する軟Ｘ線照射手段と、を備えたものが知られている（特許文献１参照）。
【０００３】
ダクトから供給されたエアーは、チャンバ内において、軟Ｘ線照射手段により、イオン化される。すなわち、気体分子に軟Ｘ線が照射されると、気体分子の電子がエネルギーを得て気体分子を飛び出し、電子を失った気体分子が陽イオン分子となる。一方、放出された電子は、気体分子と衝突し、気体分子は電子を取り込んで陰イオン分子となる。これにより、エアーはイオン化される。この後、イオン化エアーは気流により帯電体へ搬送され、帯電体と反対の電気的極性をもったイオン分子が帯電体に引き寄せられることで除電がなされる。この場合、遮蔽部を構成する２枚のパンチング板は、わずかに間隙を存して配設されると共に、相互のパンチング孔が位置ズレするように配設されている。これにより、イオン化エアーは遮蔽部を通り抜けることができ、また、チャンバ内を照射する軟Ｘ線は、軟Ｘ線除電装置の外部に漏れ出ることはない。
【特許文献１】特開２００１−２５７０９６号公報
【発明の開示】
【発明が解決しようとする課題】
【０００４】
しかしながら、上記の遮蔽部の構成によると、軟Ｘ線が前後のパンチング板のパンチング孔をつなぐ角度で入射した場合、これが外部に漏れることになる。つまり、軟Ｘ線等の電磁波を確実に遮蔽することができない問題があった。
【０００５】
本発明は、イオン化エアーの送気に影響を与えることなく、軟Ｘ線等の電磁波の遮蔽性を高めることができる軟Ｘ線遮蔽構造、軟Ｘ線除電装置およびイオン化エアー放出方法を提供することを課題とする。
【課題を解決するための手段】
【０００６】
本発明の軟Ｘ線遮蔽構造は、送気されてゆくエアーに軟Ｘ線を照射しこれをイオン化する軟Ｘ線除電装置にあって、イオン化したエアーの通過を許容すると共に軟Ｘ線を遮蔽する軟Ｘ線遮蔽構造であって、メッシュ状の流入開口およびメッシュ状の流出開口を有し、軟Ｘ線遮蔽材で構成した収容体と、収容体内に充填され、電磁波を遮蔽する物質で構成した多数の塊状部材と、を備えたことを特徴とする。
【０００７】
この構成によれば、軟Ｘ線等の電磁波は、多数の塊状部材に照射されたときに、一部は反射するが、多くは塊状部材に当りこれに吸収される。一方、軟Ｘ線によりイオン化されたエアーは、流入開口から流出開口へ向かおうとすると、各塊状部材の空隙を縫って流れ、流出開口から送気される。したがって、イオン化エアーを、流出開口から円滑に送気させることができ、且つ軟Ｘ線等の電磁波を確実に遮蔽することができる。
【０００８】
この場合、各塊状部材が、球形に形成されていることが、好ましい。
【０００９】
この構成によれば、多数の塊状部材を収容体に充填しても、イオン化エアーが通過する十分な間隙を得ることができる。
【００１０】
この場合、各塊状部材が、原子密度の高い物質で構成されていることが、好ましい。
【００１１】
この構成によれば、電磁波の質量吸収係数は、原子密度と、電磁波が進む距離とに依存している。すなわち、原子密度が高ければ高いほど、電磁波を遮蔽する物質の厚さを薄くすることができる。このため、塊状部材を原子密度の高い物質で構成することで、塊状部材の大きさに比して電磁波の吸収率を高めることができる。また同時に、収容体をコンパクトにすることができる。なお、原子密度の高い物質として、チッ化ホウ素、炭化シリコン、シリコン、炭素、フラーレン、カーボンナノチューブ、アクリル、アクリロニトリル・ブタジエン・スチレン、ポリ塩化ビニル等がある。
【００１２】
この場合、各塊状部材が、ポリ塩化ビニルで構成されていることが、好ましい。
【００１３】
この構成によれば、遮蔽性が高く且つコンパクトな構造にすることができる。また、ポリ塩化ビニルは安価な材料であり、加工しやすいため、製造コストを抑えることもできる。
【００１４】
また、本発明の他の軟Ｘ線遮蔽構造は、送気されてゆくエアーに軟Ｘ線を照射しこれをイオン化する軟Ｘ線除電装置にあって、イオン化したエアーの通過を許容すると共に軟Ｘ線を遮蔽する軟Ｘ線遮蔽構造であって、流入開口および流出開口を有し、軟Ｘ線遮蔽材で構成した収容体と、流入開口から流出開口に到るエアー流路を複数に分割すると共に、電磁波を遮蔽する物質で構成した複数の隔板と、を備え、複数の隔板は、相互に平行に配置され、かつ流入開口から流出開口に向かってそれぞれ波状に延在していることを特徴とする。
【００１５】
この構成によれば、軟Ｘ線等の電磁波は、多数の隔板に照射されたときに、一部は反射するが、多くは隔板に当りこれに吸収される。一方、軟Ｘ線によりイオン化されたエアーは、流入開口から各隔板間を通り抜け、流出開口から送気される。したがって、イオン化エアーを、流出開口から円滑に送気させることができ、且つ軟Ｘ線等の電磁波を確実に遮蔽することができる。
【００１６】
また、本発明の他の軟Ｘ線遮蔽構造は、送気されてゆくエアーに軟Ｘ線を照射しこれをイオン化する軟Ｘ線除電装置にあって、イオン化したエアーの通過を許容すると共に軟Ｘ線を遮蔽する軟Ｘ線遮蔽構造であって、流入開口および流出開口を有し、軟Ｘ線遮蔽材で構成した収容体と、流入開口から流出開口に到るエアー流路を横断すると共に、電磁波を遮蔽する物質で構成した複数の円柱状部材と、を備え、複数の円柱状部材は、相互に平行にかつエアー流路に沿って、千鳥状に配設されていることを特徴とする。
【００１７】
この構成によれば、軟Ｘ線等の電磁波は、多数の円柱状部材に照射されたときに、一部は反射するが、多くは円柱状部材に当りこれに吸収される。一方、軟Ｘ線によりイオン化されたエアーは、流入開口から各円柱状部材間を通り抜け、流出開口から送気される。したがって、イオン化エアーを、流出開口から円滑に送気させることができ、且つ軟Ｘ線等の電磁波を確実に遮蔽することができる。
【００１８】
本発明の軟Ｘ線除電装置は、上記の軟Ｘ線遮蔽構造と、エアーを導入する導入口およびエアーを放出する放出口を有する筐体と、筐体に設けられ、筐体を流れるエアーに軟Ｘ線を照射する軟Ｘ線照射手段と、を備え、放出口に流入開口が直結していることを特徴とする。
【００１９】
この構成によれば、軟Ｘ線除電装置の放出口には、流入開口が直結しているため、軟Ｘ線および電磁波は、放出口や収容体の流入開口から漏れ出ることはなく、流出開口からはイオン化エアーを送気することができる。また、装置構成もコンパクトにすることができるため、持ち運び容易でかつ設置の自由度も高まり、利便性に富んだものとすることができる。
【００２０】
この場合、収容体の周壁部と筐体の周壁部と、が一体に形成されていることが、好ましい。
【００２１】
この構成によれば、軟Ｘ線除電装置と軟Ｘ線遮蔽構造とが一体になった装置構成とすることができる。このため構造の単純化が図れ、コンパクトに構成することができる。
【００２２】
この場合、軟Ｘ線照射手段は、エアーの流れ方向と同方向に軟Ｘ線を照射することが、好ましい。
【００２３】
この構成によれば、エアーの流れ方向と同方向に軟Ｘ線を照射するため、軟Ｘ線照射手段は、放出口にむけて軟Ｘ線を照射することとなる。軟Ｘ線放射手段を放出口に近づければ、軟Ｘ線の照射光の投影面積は小さくなり、これにより、エアーのイオン化を効率よく行うことができると共に、軟Ｘ線遮蔽構造も投影面積にあわせて、コンパクトに構成することができる。
【００２４】
この場合、筐体の導入口側に、エアーを送気するファンが着脱自在に取り付けられていることが、好ましい。
【００２５】
この構成によれば、ファンを用いてエアーを強制的に送り出すことができ、装置単体でイオン化エアーを送気することができる。つまり、装置単体で、除電装置として使用することができる。また、ダクト等を用いてエアーを供給する場合、ファンを取り外して使用することができる。すなわち、単体で使用する場合のようにファンの必要なときと、吹出口に組み込むときのようにファンが不要なときとの使い分けを行うことができる。
【００２６】
この場合、導入口に面して筐体内には、エアーを送気するファンが設けられていることが、好ましい。
【００２７】
この構成によれば、筐体内にファンを組み込むことで装置構成を一体にすることができる。このため構造の単純化が図れ、コンパクトに構成することができる。
【００２８】
本発明のイオン化エアー放出方法は、送気されてゆくエアーに軟Ｘ線を照射しこれをイオン化して放出する軟Ｘ線除電装置のイオン化エアー放出方法であって、イオン化したエアーを、電磁波を遮蔽する物質で構成した多数の塊状部材の堆積体を通過させて放出することを特徴とする。
【００２９】
この構成によれば、軟Ｘ線およびエアーのイオン化によって生じる電磁波は、収容体の流出開口から漏れ出ることはなく、流出開口からはイオン化エアーを円滑に送気することができる。
【発明を実施するための最良の形態】
【００３０】
以下、添付の図面に基づいて、本発明の一実施形態に係る軟Ｘ線遮蔽構造を適用した軟Ｘ線遮蔽ユニットおよび軟Ｘ線除電装置について説明する。この軟Ｘ線除電装置は、装置の後方からエアーを取り込み、そのエアーに軟Ｘ線を照射してエアーをイオン化し、イオン化エアーを帯電物に向けて前方に送気し、除電を行うものである。
【００３１】
図１は、軟Ｘ線除電装置を模式的に表した構造図である。同図に示すように、軟Ｘ線除電装置１は、後部に配設したファンユニット２と、中間部に配設され、ファンユニット２から送られたエアーに軟Ｘ線を照射する軟Ｘ線照射ユニット３と、前部に配設され、軟Ｘ線照射ユニット３の軟Ｘ線を遮蔽する遮蔽ユニット４と、を備えている。
【００３２】
ファンユニット２は、前方にエアーを送気する軸流ファン等で構成された送気ファン５と、送気ファン５を収容するボックス状のファンケース６と、を有しており、ファンケース６には、外気（エアー）を吸気する吸気開口７と、吸気したエアーを軟Ｘ線照射ユニット３に送り込む送気開口８とが設けられている。ファンケース６は、その前部で軟Ｘ線照射ユニット３の後部に接合し、この状態で軟Ｘ線照射ユニット３にねじ止めされている。すなわち、ファンユニット２は、軟Ｘ線照射ユニット３に着脱自在に装着されている。
【００３３】
軟Ｘ線照射ユニット３は、遮蔽ユニット４を包含する照射角度で前方に軟Ｘ線を照射する軟Ｘ線照射装置９と、軟Ｘ線照射装置９を収容する筐体１０と、を有している。筐体１０は、遮蔽材であるポリ塩化ビニル等を用いてボックス状に形成され、送気開口８から送られてきたエアーをそのまま受け入れる導入口１１と、エアーを通過させ遮蔽ユニット４へ放出する放出口１２とを有している。また、筐体１０には、導入口１１位置から後方に延長した後部接合部１３、および放出口１２位置から前方に延長した前部接合部１４が一体に形成されている。後部接合部１３には、ファンユニット２が接合され、前部接合部１４には、遮蔽ユニット４が接合され、この状態でいずれもねじ止めされている。すなわち、軟Ｘ線照射ユニット３には、ファンユニット２と共に、遮蔽ユニット４が着脱自在に装着されている。
【００３４】
軟Ｘ線照射装置９は、軟Ｘ線を照射する軟Ｘ線管１５を内蔵し、照射窓１６を前方、すなわち遮蔽ユニット４に向けた状態で、筐体１０の後部中央に配置されている。
【００３５】
軟Ｘ線管１５から照射された軟Ｘ線は、照射窓１６を透過することで、その照射角度が放出口１２の大きさに略合致するように規制される。このようにして、軟Ｘ線照射ユニット３を通過するエアーに軟Ｘ線が照射されるが、この軟Ｘ線照射により、エアーが陽イオンと陰イオンとに電離され、エアーがイオン化される。これにより、放出口１２から遮蔽ユニット４にイオン化エアーが送り込まれる。このように、放出口１２全域に軟Ｘ線が照射されるので、エアーのイオン化を効率よく行うことができる。なお、軟Ｘ線はエアーの流れ方向１７と同方向に照射されることになるため、軟Ｘ線の投影面積は、軟Ｘ線照射装置９と放出口１２との間の距離によって決まる。つまり、市販の軟Ｘ線照射装置９を用いる場合には、その照射角度を放出口１２と合致させるべく、放出口１２と軟Ｘ線照射装置９との距離を調節するようにする。
【００３６】
そして、放出口１２を通過したイオン化エアーは、遮蔽ユニット４に送り込まれる。また同時に、軟Ｘ線も放出口１２を透過して遮蔽ユニット４に入射することになる。なお、軟Ｘ線照射ユニット３の前後に、それぞれファンユニット２および遮蔽ユニット４をねじ止めにより装着するようにしたが、このねじ止めに代えてキャッチクリップ等を用い、着脱を迅速に行えるようにしてもよい。また、エアーや軟Ｘ線を防止すべく、各ユニット間をシールすることが好ましい。
【００３７】
次に、図２を参照し、第１実施形態の遮蔽ユニット４について詳細に説明する。遮蔽ユニット４は、軟Ｘ線照射ユニット３から入射した軟Ｘ線を遮蔽する遮蔽材と、遮蔽材を充填した収容体２０と、を有しており、遮蔽材は、多数の球形部材２１で構成されている。収容体２０は、ポリ塩化ビニル等の遮蔽性の高い材質を用いてボックス状に構成されており、後面にはメッシュ状の流入開口２３が設けられ、前面にはメッシュ状の流出開口２４が設けられている（図２（ａ）参照）。このメッシュにより、エアーの通過を許容すると共に、多数の球形部材２１を収容体２０内に保持している。なお、メッシュに代えて、パンチング材を用いるようにしてもよい。
【００３８】
多数の球形部材２１のそれぞれも、同様にポリ塩化ビニル（塩ビボール）で構成され、その径は１５ｍｍ程度に形成されている（図２（ｂ）参照）。詳しくは後述するが、この球形部材２１の径は、軟Ｘ線を遮蔽するには、十分な径である。多数の球形部材２１は、収容体２０内で流動しないように、かつ多数の球形部材２１により構成される空隙が直線上に並ぶことのないように充填される。これにより、流入開口２３から流出開口２４へと直進する軟Ｘ線は、充填された多数の球形部材２１に必ず当って吸収される。また、多数の球形部材２１は、相互に点接触しているため、必然的に空隙が生ずる。このため、イオン化エアーは、この空隙を縫うようにして、流出開口２４に達する。
【００３９】
ここで、軟Ｘ線の遮蔽材として用いられているポリ塩化ビニルの有効性について、図３および次式を用いながら説明する。μ＝−｛Ｌｏｇe（Ｉ／Ｉａ）／ρｄ｝という、この式は、透過前の軟Ｘ線量Ｉａ（μＳｖ／ｈ）が、原子密度ρ（ｇ／ｃｍ3）の障害物中を、距離ｄ（ｃｍ）進むと、障害物によって軟Ｘ線が吸収され、これにより、透過後の軟Ｘ線量Ｉ（μＳｖ／ｈ）が減衰するという式を変形したものである。ここで、μ（ｃｍ2／ｇ）は質量吸収係数という。
【００４０】
図３（ａ）は、縦軸を距離ｄとし、横軸を軟Ｘ線の遮蔽率とし、ポリ塩化ビニル（ＰＶＣ）と、ポリカーボネート（ＰＣ）と、ポリエチレンテレフタレート（ＰＥＴ）とを比較したグラフである。ＰＶＣ、ＰＣおよびＰＥＴを比較すると、ＰＶＣは他のものに比べ、一桁短い距離ｄで軟Ｘ線を遮蔽することができる。これにより、ＰＶＣで軟Ｘ線を確実に遮蔽するには、１／Ｅｃｍ、すなわち４ｍｍ程度の厚さであれば十分であることがわかる。ちなみに、ＰＣおよびＰＥＴは、２．８ｃｍ程度の厚さでなければ遮蔽することができない。
【００４１】
また、図３（ｂ）は、左縦軸を質量吸収係数μとし、右縦軸を軟Ｘ線の遮蔽率とし、ＰＶＣ、ＰＣおよびＰＥＴを比較したグラフである。これによると、ＰＶＣの質量吸収係数μおよび遮蔽率が一番高く、質量吸収係数μが大きいほど遮蔽率が高いことがわかる。
【００４２】
このことから、上記の式において鑑みるに、距離ｄが大きくなると、質量吸収係数μは大きくなるということから、原子密度ρも大きくなれば、質量吸収係数μは大きくなるということができる。これを裏付けるように、ＰＶＣには、ＰＣおよびＰＥＴには含まれていない原子密度の大きい塩素を有しているため、ＰＶＣの遮蔽性が高いといえる。これにより、原子密度の高い物質で構成されたポリ塩化ビニルを用いることにより、ポリ塩化ビニルの厚さを薄く（径を小さく）することができ、筐体１０、収容体２０、球形部材２１、並びに後述する隔板２７および円柱状部材４２をコンパクトにすることができる。また、ポリ塩化ビニルは、安価な材料であり、加工しやすいため製造コストを抑えることができる。なお、原子密度の高い物質として、チッ化ホウ素および炭化シリコン等がある。
【００４３】
以上の装置構成において、除電性能および軟Ｘ線漏洩量についての比較の実験を行い、この結果を図４に示す。比較対照として、コロナ放電式除電装置、遮蔽材無しの軟Ｘ線除電装置および第１実施形態の軟Ｘ線遮蔽ユニット４を適用した軟Ｘ線除電装置１を用いる。なお、コロナ放電式除電装置は、先端が尖った電極に高電圧をかけ、コロナ放電を起こしてエアーをイオン化すると共に、イオン化エアーを帯電物２６（図１参照）に搬送して除電を行うものである。
【００４４】
除電性能については、＋１０００Ｖに帯電させた帯電物２６を、６０ｃｍ離れた位置からイオン化エアーを当て、＋１００Ｖにまで除電する時間を測定し、これと同様に、−１０００Ｖから−１００Ｖにまで除電する時間とを測定する。軟Ｘ線漏洩量については、サーベーメータを用いて６０ｃｍ離れた位置での漏洩量を測定する。この結果、本実施形態の軟Ｘ線除電装置１の除電時間は、コロナ放電式除電装置の除電時間よりも１／４程度早く、遮蔽材無しの軟Ｘ線除電装置の除電時間とほぼ同等である。また、遮蔽材無しの軟Ｘ線除電装置の軟Ｘ線漏洩量が１０ｍＳｖ／ｈであるのに対し、本実施形態の軟Ｘ線除電装置１の軟Ｘ線漏洩量を見ると、限りなく０に近づけることができた。このことから、遮蔽材無しの軟Ｘ線除電装置の除電性能を落とすことなく、ほぼ確実に軟Ｘ線を遮蔽することができたといえる。
【００４５】
以上のように、第１実施形態に係る遮蔽ユニット４では、多数の塩ビボールにより、軟Ｘ線を遮蔽するようにしているため、軟Ｘ線を確実に遮蔽することができると共に、イオン化エアーを円滑に送気することができるため、除電性能を損なうことなく、人が介在する領域でも安心して使用することができる。また、原子密度の高い物質を用いることにより、装置構成をコンパクトにすることができ、利便性のよい装置を提供することができる。なお、本実施形態では、ファンユニット２、軟Ｘ線照射ユニット３および遮蔽ユニット４を、別体としたが、軟Ｘ線照射ユニット３とファンユニット２とを一体（ケース一体）に、あるいは軟Ｘ線照射ユニット３と遮蔽ユニット４とを一体（ケース一体）に形成してもよい。なんとなれば、ファンユニット２、軟Ｘ線照射ユニット３および遮蔽ユニット４を一体（ケース一体）に形成してもよい。このようにすれば、構造を単純化することができる。また、本実施形態では、球状の遮蔽材を用いたが、遮蔽材を多面体等に形成してもよい。
【００４６】
次に、図５を参照し、第２実施形態に係る遮蔽ユニット３０について説明をする。本実施形態の遮蔽ユニット３０は、いずれもポリ塩化ビニル製の収容体３１およびこれに一体形成した複数の隔板３２を有している。収容体３１は、第１実施形態と同様にボックス状に構成され、後面には流入開口３３、前面には流出開口３４が設けられている（図５（ａ）参照）。複数の隔板３２は、流入開口３３から流出開口３４へと流れる収容体３１内のエアー流路３５を分け隔てるよう、相互に平行に配設されている（図５（ｂ）参照）。これにより、流入開口３３から流出開口３４へ向かう複数の部分エアー流路３６が構成され、これに対応して流入開口３３および流出開口３４もスリット状を為している。また、複数の隔板３２は、エアーの流れ方向１７に向かって波状に形成され、これに伴って複数に分けられた部分エアー流路３６も波状に延在している。この場合、複数の部分エアー流路３６は、軟Ｘ線が直進しないよう波状に形成されているため、軟Ｘ線が流出開口３４へ向かおうとすると、隔板３２に当って吸収される。一方、イオン化エアーは、各隔板３２間の部分エアー流路３６を通過し、流出開口３４へ向かうことになる。
【００４７】
このように、第２実施形態によれば、複数の隔板３２により、軟Ｘ線を遮蔽するようにしているため、軟Ｘ線を確実に遮蔽することができる共に、イオン化エアーを円滑に送気することができる。また、収容体３１と複数の隔板３２とは一体構成であるため、簡単に製造することができる。
【００４８】
図６を参照し、第３実施形態に係る遮蔽ユニット４０について説明をする。本実施形態の遮蔽ユニット４０は、いずれもポリ塩化ビニル製の収容体４１および複数の円柱状部材４２を有している。収容体４１は第２実施形態の構成と同様であるため説明を省く。複数の円柱状部材４２は、エアー流路３５に直交する方向に延在している（図６（ａ）参照）。延在方向における複数の円柱状部材４２の配置は、千鳥状に配設されており、各円柱状部材４２間は、相互に離間している（図６（ｂ）参照）。なお、複数の円柱状部材４２は、軟Ｘ線が間隙を直進しないように配置するため、軟Ｘ線は遮蔽ユニット４０を透過することがない。これにより、軟Ｘ線は複数の円柱状部材４２に当り吸収される。一方、イオン化エアーは、流入開口４３から間隙をすり抜けて流出開口４４へ向かうことになる。
【００４９】
このように、第３実施形態によれば、複数の円柱状部材４２により、軟Ｘ線を遮蔽するようにしているため、軟Ｘ線を確実に遮蔽することができる共に、イオン化エアーを円滑に送気することができる。また、収容体４１と複数の円柱状部材４２とは一体構成であるため、簡単に製造することができる。
【００５０】
ここで、図７を参照して、本実施形態の軟Ｘ線除電装置１の使用例について説明する。上述したように、この軟Ｘ線除電装置１は、軟Ｘ線照射ユニット３に対し、ファンユニット２および遮蔽ユニット４が着脱自在に構成されている。同図（ａ）では、軟Ｘ線除電装置１を縦置きにして、例えば、天井に設置すると共に、ファンユニット２を装着し、ここから下方にある帯電物２６に向けてイオン化エアーを送気する。このとき、帯電物２６は、気流のない環境に設置されていたとしても、気流を得ることができるため、帯電物２６を効率よく除電することができる。同図（ｂ）では、軟Ｘ線除電装置１を縦置きにし、ファンユニット２を取り外すとともに、天井から送られてくるエアーを軟Ｘ線照射ユニット３の導入口１１に送り込まれるよう配置する。ここから、帯電物２６に向けてエアーを送気することができるため、効率よく除電を行うことができる。同図（ｃ）では、軟Ｘ線除電装置１を横向きにし、人がこれを保持する。このとき、各ユニットが一体となった軟Ｘ線除電装置１から送気されたエアーは、所望の帯電物２６に向けて送気することができる。このように、使用態様により、各ユニットを着脱自在に取り外すことで、単体で使用する場合のようにファンユニット２の必要なときと、気流が確保されている場合のようにファンユニット２の不要なときとの使い分けができるようになる。
【図面の簡単な説明】
【００５１】
【図１】実施形態に係る軟Ｘ線除電装置を模式的に表した構造図である。
【図２】（ａ）は第１実施形態に係る遮蔽ユニットの外観斜視図であり、（ｂ）はＡ−Ａ線における遮蔽ユニットの断面図である。
【図３】（ａ）はＰＶＣ、ＰＣおよびＰＥＴの軟Ｘ線遮蔽率のグラフであり、（ｂ）は質量吸収係数と軟Ｘ線遮蔽率のグラフである。
【図４】除電時間および軟Ｘ線漏洩量を比較した表である。
【図５】（ａ）は第２実施形態に係る遮蔽ユニットの外観斜視図であり、（ｂ）はＢ−Ｂ線における遮蔽ユニットの断面図である。
【図６】（ａ）は第３実施形態に係る遮蔽ユニットの外観斜視図であり、（ｂ）はＣ−Ｃ線における遮蔽ユニットの断面図である。
【図７】（ａ）は実施形態に係る軟Ｘ線除電装置の使用例１であり、（ｂ）は実施形態に係る軟Ｘ線除電装置の使用例２であり、（ｃ）は実施形態に係る軟Ｘ線除電装置の使用例３である。
【符号の説明】
【００５２】
１    軟Ｘ線除電装置              ２    ファンユニット
３    軟Ｘ線照射ユニット          ４    遮蔽ユニット
９    軟Ｘ線照射装置            １７    エアー流れ方向
２０    収容体                    ２１    球形部材
２２    メッシュ                  ２３    流入開口
２３    流出開口                  ２６    帯電物
３０    遮蔽ユニット              ３１    収容体
３２    隔板                      ３３    流入開口
３４    流出開口                  ３５    エアー流路
４０    遮蔽ユニット              ４１    収容体
４２    円柱状部材                ４３    流入開口
４４    流出開口
【図１】
2006269392.tif 000003
【図２】
2006269392.tif 000004
【図３】
2006269392.tif 000005
【図４】
2006269392.tif 000006
【図５】
2006269392.tif 000007
【図６】
2006269392.tif 000008
【図７】
2006269392.tif 000009